(57)【要約】【課題】外部からの衝撃が表示パネルに伝わりやすく、また、ボス折れ等の不具合が生じやすかった。【解決手段】筺体内の所定位置であって当該筺体内に収容される表示パネルの周囲位置に形成したリブ構造において、一端を表示パネルの側面と相対する方向に向けた略直線状の第１リブ部と、形状が略Ｕ字状であって、Ｕ字の略底位置において上記第１リブ部の他端と接続し、かつＵ字の２つの端部を上記筺体内の壁面に接続した第２リブ部とからなる構造とした。【選択図】図３
2008136076.tif 000002
【特許請求の範囲】
【請求項１】
筺体内の所定位置であって当該筺体内に収容される表示パネルの周囲位置に形成したリブ構造を備えるテレビジョンにおいて、
上記リブ構造は、略中央に上記表示パネルの画面を外部に露見させるための開口を形成した筺体前面の裏側においてテレビジョンの背面側に向かって立設する第１リブ部と第２リブ部とを一体的に形成してなり、
上記第１リブ部は略直線状であり、その一端は上記開口の位置に対応して筺体内に収容される表示パネルの左右の側面に対して略垂直に略当接し、かつ、上記一端の角部分を背面側から前面側に向かって斜めに削った形状であり、
上記第２リブ部は略Ｕ字状であり、Ｕ字の略底位置において上記第１リブ部の他端と接続し、かつＵ字の２つの端部を、上記筺体前面の裏側において表示パネルの左右の側面と略平行にかつ背面側に向かって立設する他のリブの壁面に接続していることを特徴とするテレビジョン。
【請求項２】
筺体内の所定位置であって当該筺体内に収容される表示パネルの周囲位置に形成したリブ構造において、
一端を表示パネルの側面と相対する方向に向けた略直線状の第１リブ部と、
形状が略Ｕ字状であって、Ｕ字の略底位置において上記第１リブ部の他端と接続し、かつＵ字の２つの端部を上記筺体内の壁面に接続した第２リブ部とからなることを特徴とするリブ構造。
【請求項３】
上記第１リブ部は、上記一端の角部分を斜めに削った形状であることを特徴とする請求項２に記載のリブ構造。
【発明の詳細な説明】
【技術分野】
【０００１】
本発明は、テレビジョンおよびリブ構造に関する。
【背景技術】
【０００２】
図４は、従来のテレビジョンの筺体を示している。
テレビジョンの筺体は、フロントキャビネットとリアキャビネットとから構成されるが、同図においては、フロントキャビネット１について背面側からその内部を簡略的に示している。
フロントキャビネット１は、概略、略中央に略矩形の開口３を形成した前面２と、前面２の上下左右の各縁部においてテレビジョンの前面側から背面側に向かって延出する側面４とによって構成される。同図では、紙面の手前側をテレビジョンの背面側としている。また同図では、フロントキャビネット１に収容される表示パネル５の位置を２点鎖線によって示している。表示パネル５は、その画面を開口３から外部に露見させた状態でフロントキャビネット１内部に固定される。
【０００３】
前面２の背面側の面上には、開口３周囲に開口３の上下左右の直線と略平行にリブ６が形成されている。リブ６の複数箇所にはボス７と位置決めリブ９が形成されている。リブ６、ボス７、位置決めリブ９はテレビジョンの背面側に向かって立設している。ボス７は、その中心にネジ孔を形成しておりこのネジ孔と、表示パネル５の周囲に取り付けた板金（不図示）に形成されたネジ孔とを互いにネジ止めすることにより、表示パネル５をフロントキャビネット１に固定する。ボス７の外面からは当該ボス７を補強するための補強リブ８が延出している。補強リブ８も背面側に向かって立設している。
位置決めリブ９は、リブ６の壁面から開口３に向かってある長さをもって直線状に延出しており、表示パネル５は、各位置決めリブ９の先端に囲まれたスペースに収容される。このとき、各位置決めリブ９の先端は表示パネル５の側面に対して略垂直に略当接した状態となる。
【０００４】
ここで、テレビジョンの製造から出荷までの工程においては製品の落下試験が行なわれ、製品の強度が試される。テレビジョンを構成する各部品の中でも表示パネル５は重量が大きいため、製品を落下させた場合、表示パネル５をフロントキャビネット１に対して固定しているボス７には大きな負荷がかかる。この落下試験の際に、ボス７に割れや折れ（ボス折れ等）が生じては製品として不良品となる。
【０００５】
そのため上述したように、ボス７に補強リブ８を形成することによりボス７自体の強度を高めている。しかし、ボス７の周囲に補強リブ８を集中して形成することは、フロントキャビネット１を樹脂で成形する際に使用する金型の構造上容易なことではない。実際には、補強リブ８の数を増やすほどに成形の困難性が上がり、樹脂内部での空洞の発生などボス７周辺での成形不良も発生しやすくなる。そこで、ボス折れ等の防止を補強リブ８の数に頼ることなく実現するために、上記位置決めリブ９を形成していた。つまり、位置決めリブ９によって、落下時等の衝撃でフロントキャビネット１内で表示パネル５が動くことをほぼ禁止し、その結果、ボス７に与えられる負荷量を低減させている。
【発明の開示】
【発明が解決しようとする課題】
【０００６】
しかし、従来の構成では次のような課題があった。
上記位置決めリブ９は、外部からのテレビジョンに対する衝撃で表示パネル５がフロントキャビネット１内で動くことを強制的に禁止しようとするものであるが、その形状が直線的であるため、外部からの衝撃が表示パネル５にそのまま伝わりやすく、その結果、表示パネル５自体に大きな衝撃が伝わってしまっていた。
【０００７】
本発明は上記課題にかんがみてなされたもので、落下時等の外部からの衝撃が製品の筺体内部の表示パネル等の主要部品に伝わりにくく、かつ当該主要部品を筺体内部に固定するボスなどに割れや折れが生じることを防ぐことが可能なテレビジョンおよびリブ構造を提供することを目的とする。
【課題を解決するための手段】
【０００８】
上記目的を達成するため、本発明のリブ構造は、筺体内の所定位置であって当該筺体内に収容される表示パネルの周囲位置に形成する。具体的には、リブ構造は第１リブ部と第２リブ部とからなり、第１リブ部は、一端を表示パネルの側面と相対する方向に向けた略直線状のリブであり、第２リブ部は、形状が略Ｕ字状であって、Ｕ字の略底位置において上記第１リブ部の他端と接続し、かつＵ字の２つの端部を上記筺体内の壁面に接続したリブである。
すなわち本発明によれば、第２リブ部が略Ｕ字状であるため、筺体に対して外部から与えられた衝撃が第２リブ部によって吸収され、その結果、第１リブ部の一端にて筺体内での位置が規制される表示パネルに対して伝わる衝撃を大幅に和らげることができる。
【０００９】
第１リブ部は、上記一端の角部分を斜めに削った形状であるとしてもよい。上記一端の角部分を斜めに削った形状とすれば、表示パネルをリブ構造によって囲まれた筺体内のスペースに収容する際に当該スペースに表示パネルを容易に案内することができる。
【００１０】
上記各構成を踏まえ、  筺体内の所定位置であって当該筺体内に収容される表示パネルの周囲位置に形成したリブ構造を備えるテレビジョンにおいて、上記リブ構造は、略中央に上記表示パネルの画面を外部に露見させるための開口を形成した筺体前面の裏側においてテレビジョンの背面側に向かって立設する第１リブ部と第２リブ部とを一体的に形成してなり、上記第１リブ部は略直線状であり、その一端は上記開口の位置に対応して筺体内に収容される表示パネルの左右の側面に対して略垂直に略当接し、かつ、上記一端の角部分を背面側から前面側に向かって斜めに削った形状であり、上記第２リブ部は略Ｕ字状であり、Ｕ字の略底位置において上記第１リブ部の他端と接続し、かつＵ字の２つの端部を、上記筺体前面の裏側において表示パネルの左右の側面と略平行にかつ背面側に向かって立設する他のリブの壁面に接続している構成を把握することができる。
つまり、テレビジョンという具体的製品においても上記各リブ構造と同様の作用および効果を発揮する。ただし、上記リブ構造は、表示パネルなどの主要部品を収容するための筺体であれば、あらゆる筺体に適用することが可能である。
【発明を実施するための最良の形態】
【００１１】
以下では、図面を参照しながら本発明の一実施形態を説明する。
図１は、本実施形態にかかるテレビジョンの概略的構造を背面側から斜視図により示している。テレビジョン１１０は、フロントキャビネット１０とリアキャビネット１００によって構成する筺体の内部に表示パネル５０を収容する。フロントキャビネット１０とリアキャビネット１００は樹脂によって成形されている。表示パネル５０とてしては、液晶パネルやプラズマディスプレイパネルなど各種表示用のパネルを用いることができる。
図では省略しているが、筺体内部には表示パネル５０の他、チューナ回路や、映像・音声信号の処理回路や、表示パネル５０の駆動回路や、電源回路や、スピーカ等、テレビジョンとしての機能を実現するための公知の各種回路や基板が収容されることは言うまでもない。
【００１２】
図２は、フロントキャビネット１０について背面側からその内部を簡略的に示している。フロントキャビネット１０が、前面２０と、開口３０と、上下左右の側面４０とを備える点は図４に示した従来の構成と同様である。また、前面２０の背面側の面上に、開口３０周囲において開口３０の上下左右の直線と略平行にリブ６０を形成した点、リブ６０の複数箇所にボス７０を形成した点、各ボス７０の外面にボス７０を補強するための補強リブ８０を形成した点、表示パネル５０はその画面を開口３０から外部に露見させた状態でフロントキャビネット１０内部に固定される点も、従来と同様である。また、図２では図４と同様に、フロントキャビネット１０に収容される表示パネル５０の位置を２点鎖線によって示している。
【００１３】
なお、表示パネル５０の上下の側面５１には図示しない板金が取り付けられており、当該板金に形成したネジ孔と、ボス７０に形成したネジ孔とを互いにネジ止めすることにより表示パネル５０はフロントキャビネット１０に固定される。
フロントキャビネット１０は、リブ６０の複数箇所において開口３０側に位置決めリブ９０を形成している。本発明のリブ構造は、位置決めリブ９０によって実現される。位置決めリブ９０の数や場所は任意であるが、本実施形態では、表示パネル５０の左右の側面５１と相対する左右のリブ６０の壁面の複数箇所に位置決めリブ９０を形成した場合を例に説明を行なう。
【００１４】
図３は、位置決めリブ９０の形状を斜視図により示している。
同図では、上下左右のリブ６０のうち左側のリブ６０（リブ６０ａ）と、前面２０の背面側の面に立設しかつリブ６０ａと一体的に形成された複数の位置決めリブ９０のうち一つの位置決めリブ９０（位置決めリブ９０ａ）とを示している。他の位置決めリブ９０も当該位置決めリブ９０ａと同様の形状である。
位置決めリブ９０ａは、第１リブ部９０ａ１および第２リブ部９０ａ２を一体的に形成してなる。
【００１５】
第２リブ部９０ａ２は、一続きの壁が略Ｕ字あるいは略半円を描いた形状（略Ｕ字状と言う。）をしている。そして、Ｕ字の２つの端部をリブ６０ａの壁面と接続させている。すなわち、第２リブ部９０ａ２を略Ｕ字状とすることにより位置決めリブ９０に衝撃に対する吸収性を与えている。
第１リブ部９０ａ１は、第２リブ部９０ａ２のＵ字の略底位置からリブ６０ａの壁面と略垂直な方向に延出する略直線形状をしている。第１リブ部９０ａは、表示パネル５０の左の側面５１に対しても略垂直に相対し、その先端面９０ａ１２（特許請求の範囲に言う一端に該当。）において、左の側面５１に略当接する。略当接とは、側面５１と接触した状態と側面５１に接触はしていないが極めて接近した状態との両方を含む。いずれにしても表示パネル５０は、図２に示すように、複数の位置決めリブ９０の第１リブ部に囲まれた範囲にほぼ身動きが取れない状態で収容される。
【００１６】
このように本発明によれば、フロントキャビネット１０の前面２０の裏側に形成されたボス７０に対して固定されて開口３０に対応して収容される表示パネル５０の動きを規制する位置決めリブ９０を、表示パネル５０の側面５１と一端において略当接する略直線状の第１リブ部９０ａ１と、略Ｕ字状であって当該Ｕ字の略底位置で第１リブ部９０ａ１の他端と接続しかつ当該Ｕ字の２つの端部で前面２０の裏側に立設するリブ６０の壁面に接続する第２リブ部９０ａ２とによって構成した。
従って、落下試験時などにテレビジョン１１０が外部から衝撃を受けた場合には、位置決めリブ９０の第２リブ部９０ａ２が瞬間的に変形して衝撃を吸収し、その結果、精密機器である表示パネル５０に伝わる負荷を大幅に低減することができる。
【００１７】
また、表示パネル５０はフロントキャビネット１０内で動くことを位置決めリブ９０によってほぼ禁止されるため、テレビジョン１１０が上記衝撃を受けた場合に、表示パネル５０をフロントキャビネット１０に固定しているボス７０に与えられる負荷量も少なくなり、その結果、ボス７０が割れたり折れたりすることを防ぐことができる。
【００１８】
なお、第１リブ部９０ａ１の先端面９０ａ１２の背面側の角部分には、テレビジョン１１０の背面側から前面側に向けて傾斜する斜面９０ａ１１が形成されている。つまり、先端面９０ａ１２の角は斜めに削られている。表示パネル５０は、フロントキャビネット１０に対して背面側から搬入されるため、先端面９０ａ１２に上記斜面９０ａ１１を形成しておくことで、表示パネル５０を複数の第１リブ部に囲まれた収容位置に容易に収容することができる。
【図面の簡単な説明】
【００１９】
【図１】テレビジョンの概略構造を示した背面側斜視図。
【図２】フロントキャビネットの背面側の面を示した図。
【図３】位置決めリブを示した斜視図。
【図４】従来のフロントキャビネットの背面側の面を示した図。
【符号の説明】
【００２０】
１０…フロントキャビネット
２０…前面
３０…開口
５０…表示パネル
５１…側面
６０，６０ａ…リブ
７０…ボス
８０…補強リブ
９０，９０ａ…位置決めリブ
９０ａ１…第１リブ部
９０ａ２…第２リブ部
９０ａ１１…斜面
９０ａ１２…先端面
１００…リアキャビネット
１１０…テレビジョン
【図１】
2008136076.tif 000003
【図２】
2008136076.tif 000004
【図３】
2008136076.tif 000005
【図４】
2008136076.tif 000006